(57)【要約】      （修正有）【課題】処理負担を軽減し高速アクセス化を実現する。【解決手段】所定の記録密度の第１の記録領域ごとに付与される第１のアドレス情報を有している光ディスクに対して、第１の記録領域を論理的に区分した第２の記録領域ごとに付与される第２のアドレス情報を用いてアクセスを制御し、第１の記録領域に対して記録密度を高めてデータの記録を行うことが可能な光ディスク装置において、照射されるレーザー光の第１の照射位置とする第２の記録領域について、当該第２の記録領域に付与された第２のアドレス情報を決定する第２のアドレス情報決定手段と、レーザー光の照射位置が、第１の照射位置から所定の第２の照射位置とする第２の記録領域へ移動する間、決定された第２のアドレス情報に基づいて、第１の照射位置から第２の照射位置までの間でアクセスされる第２の記録領域に付与された第２のアドレス情報を生成する第２のアドレス情報生成手段と、を有する。【選択図】      図１
2004310801.tif 000002
【特許請求の範囲】
【請求項１】
所定の記録密度の第１の記録領域ごとに付与される第１のアドレス情報を有している光ディスクに対して、前記第１の記録領域を論理的に区分した第２の記録領域ごとに付与される第２のアドレス情報を用いてアクセスを制御し、前記第１の記録領域に対して前記所定の記録密度よりも記録密度を高めてデータの記録を行うことが可能な光ディスク装置において、
前記光ディスクに照射されるレーザー光の第１の照射位置とする前記第２の記録領域について、当該第２の記録領域に付与された前記第２のアドレス情報を決定する第２のアドレス情報決定手段と、
前記レーザー光の照射位置が、前記第１の照射位置から所定の第２の照射位置とする前記第２の記録領域へ移動する間、前記決定された第２のアドレス情報に基づいて、前記第１の照射位置から前記第２の照射位置までの間でアクセスされる前記第２の記録領域に付与された前記第２のアドレス情報を生成する第２のアドレス情報生成手段と、
を有することを特徴とする光ディスク装置。
【請求項２】
前記光ディスクは、
前記第１のアドレス情報をトラックのウォブリング情報に対応づけて有しており、
前記光ディスク装置は、
前記第１の照射位置に照射されているレーザー光の反射光に基づいて、前記光ディスクから読み出された前記ウォブリング情報を受信し、前記受信したウォブリング情報に対応づけられる前記第１のアドレス情報を生成する第１のアドレス情報生成手段を有し、
前記第２のアドレス情報決定手段は、
前記第１のアドレス情報生成手段によって生成された第１のアドレス情報に基づいて、当該第１のアドレス情報に対応づけられる前記第２のアドレス情報を決定することを特徴とする請求項１に記載の光ディスク装置。
【請求項３】
前記第２のアドレス情報生成手段は、
前記第２のアドレス情報決定手段によって決定された前記第２のアドレス情報に対して、前記レーザー光の照射位置の移動量単位に応じた第１の加算値を順次加算していくことで、前記第１の照射位置から前記第２の照射位置までの間でアクセスされる前記第２の記録領域に付与された前記第２のアドレス情報を生成することを特徴とする請求項１又は２に記載の光ディスク装置。
【請求項４】
前記光ディスク装置は、
前記第１のアドレス情報生成手段によって生成された前記第１のアドレス情報のうち正常である第１のアドレス情報を記憶しておく記憶手段を有し、
前記第２のアドレス情報決定手段は、
前記第１のアドレス情報生成手段によって生成された前記第１のアドレス情報が正常でない場合に、前記記憶しておいた第１のアドレス情報に基づいて、前記第１の照射位置に付与された前記第２のアドレス情報を決定することを特徴とする請求項２に記載の光ディスク装置。
【請求項５】
前記第２のアドレス情報決定手段は、
前記記憶しておいた第１のアドレス情報に対応づけられる前記第２のアドレス情報を決定し、前記決定した前記第２のアドレス情報に対して前記レーザー光の移動量単位に応じた第２の加算値を加算した結果を、前記第１の照射位置に付与された前記第２のアドレス情報として決定することを特徴とする請求項４に記載の光ディスク装置。
【請求項６】
前記第２のアドレス情報決定手段は、
前記記憶しておいた第１のアドレス情報に対して前記レーザー光の移動量単位に応じた第３の加算値を加算し、前記加算した結果とする前記第１のアドレス情報に対応づけられた前記第２のアドレス情報を、前記第１の照射位置に付与された前記第２のアドレス情報として決定することを特徴とする請求項４に記載の光ディスク装置。
【請求項７】
前記光ディスクは、
前記第１のアドレス情報を検査するためのアドレス検査用情報を、トラックのウォブリング情報に対応づけて有しており、
前記光ディスク装置は、
前記第１の照射位置に照射されているレーザー光の反射光に基づいて前記光ディスクから読み出された、前記ウォブリング情報に対応づけられた前記アドレス検査用情報に基づいて、前記第１のアドレス情報生成手段によって生成された前記第１のアドレス情報が正常であるか否かを検査する検査手段と、
前記検査手段による検査の結果、正常であると判別された前記第１のアドレス情報を前記記憶手段に記憶する手段と、
前記第２のアドレス情報決定手段に対して、前記第１のアドレス情報生成手段によって生成された前記第１のアドレス情報が正常であるか否かを判別させるべく前記検査手段による検査の結果を示す情報を送信する手段と、
を有することを特徴とする請求項４乃至６のいずれかに記載の光ディスク装置。
【請求項８】
所定の記録密度の第１の記録領域ごとに付与される第１のアドレス情報を有している光ディスクに対して、前記第１の記録領域を論理的に区分した第２の記録領域ごとに付与される第２のアドレス情報を用いてアクセスを制御し、前記第１の記録領域に対して前記所定の記録密度よりも記録密度を高めてデータの記録を行うことが可能な光ディスク装置の制御方法において、
前記光ディスクに照射されるレーザー光の第１の照射位置とする前記第２の記録領域について、当該第２の記録領域に付与された前記第２のアドレス情報を決定し、
前記レーザー光の照射位置が、前記第１の照射位置から所定の第２の照射位置とする前記第２の記録領域へ移動する間、前記決定された第２のアドレス情報に基づいて、前記第１の照射位置から前記第２の照射位置までの間でアクセスされる前記第２の記録領域に付与された前記第２のアドレス情報を生成することを特徴とする光ディスク装置の制御方法。
【発明の詳細な説明】
【０００１】
【発明の属する技術分野】
本発明は、光ディスクへの記録又は再生を行う光ディスク装置及びその制御方法に関する。
【０００２】
【従来の技術】
レーザービームを利用して情報の記録・再生可能な光ディスクの規格の一つとして、データ追記型（Ｗｒｉｔｅ  Ｏｎｃｅ）のＣＤ−Ｒや、書き換え可能型（ＲｅＷｒｉｔａｂｌｅ）のＣＤ−ＲＷなどのＣＤ（Ｃｏｍｐａｃｔ  Ｄｉｓｋ）規格がある。近年、ＣＤ−Ｒ及びＣＤ−ＲＷディスクについては、低価格化と併せて普及率が拡大しており、広く一般化されている。
【０００３】
記録・再生が可能なＣＤ規格の物理フォーマットに準拠した光ディスク（ＣＤ規格媒体）では、トラックを形成するプリグルーブ（案内溝）が、絶対時間情報などによりＦＭ変調された波形に則してウォブリング（蛇行）している。このプリグルーブからウォブリングの周波数を復調することによって、絶対時間情報であるＡＴＩＰ（Ａｂｓｏｌｕｔｅ  ｔｉｍｅ  Ｉｎ  Ｐｒｅｇｒｏｏｖｅ）アドレスを取得できる。また、このＡＴＩＰアドレスは、ＣＤ規格の論理フォーマットを用いてデータの記録・再生を行う光ディスク装置において、当該ＣＤ規格媒体上でのデータの記録・再生位置を管理するための情報として利用される。
【０００４】
ところで、ＣＤ−Ｒ及びＣＤ−ＲＷディスクの記録容量は、標準で６５０Ｍバイトや７００Ｍバイト程度である。近年、ビデオ録画の用途などで、光ディスク媒体に対してさらなる大容量記録を求めるニーズが高いため、ＣＤ−Ｒ及びＣＤ−ＲＷディスクの標準の記録容量ではこうしたニーズに対応できない。
【０００５】
このため、光ディスク装置において、ＣＤ−Ｒ及びＣＤ−ＲＷ等といった既存のＣＤ規格媒体から取得したＡＴＩＰアドレスから、高密度記録用アドレスに変換（デコード）する。そして、このデコードした高密度記録用アドレスを利用することによって、当該ＣＤ規格媒体への高密度記録を実現する仕組みが提案されている（例えば、以下に示す特許文献１参照）。
【０００６】
なお、高密度記録用アドレスとは、隣り合う二つのＡＴＩＰアドレス区間に対応する記録領域を所定数（記録密度の倍率）にて論理的に区分した場合に、その区分領域ごとに付与されるアドレスのことであり、ＡＴＩＰアドレスと対応づけられている。
【０００７】
前述した仕組みを備える光ディスク装置（以下、従来の光ディスク装置と称する）が、高密度記録用アドレスを用いてＣＤ規格媒体への高密度記録を行う場合、データの記録対象とする前述の区分領域に対して、高密度記録用アドレスに対応づけられたＩＤ（Ｉｄｅｎｔｉｆｉｃａｔｉｏｎ  Ｄａｔａ）情報を実データと併せて記録する。この目的は、従来の光ディスク装置が、前述のＩＤ情報をＣＤ規格媒体から光学的に読み出し、その読み出したＩＤ情報に基づいてデコードした高密度記録用アドレスによって、データを記録した前記区分領域の位置を識別するためである。
【０００８】
図７は、従来の光ディスク装置が備えるアドレスデコーダ部の構成を説明するためのブロック図である。同図に示すとおり、従来の光ディスク装置では、ＣＤ規格媒体上に形成されたプリグルーブのウォブリング情報からＡＴＩＰアドレスをデコードするためのＡＴＩＰデコーダ５と、ＡＴＩＰデコーダ５にてデコードしたＡＴＩＰアドレス又はＣＤ規格媒体から光学的に読み出されたＩＤ情報をもとに高密度記録用アドレスとしてのＰＳＮ（Ｐｈｙｓｉｃａｌ  Ｓｅｃｔｏｒ  Ｎｕｍｂｅｒ）アドレスをデコードするためのＰＳＮデコーダ１８と、を備えている。また、システム制御マイコン１２とは、ＣＤ規格媒体へのデータの記録・再生に関する光ディスク装置全般の制御を司るための制御回路である。
【０００９】
ここで、従来の光ディスク装置は、シーク動作やデータの記録・再生処理に際して、光ディスク上に照射されているレーザー光の現在の照射位置（『第１の照射位置』）を目的とする照射位置（『第２の照射位置』）へ移動させることになる。なお、この移動に際しては、レーザー光を出射するための光学ヘッドを所定の移動量単位ずつトラックに沿う方向に移動させる場合（例えば、シーク動作の場合）や、光ディスクの回転を通じて目的トラックをレーザー光にてトレースさせる場合（例えば、シーケンシャルアクセスの場合）がある。
【００１０】
前述したＡＴＩＰデコーダ５及びＰＳＮデコーダ１８は、レーザー光の照射位置が前記区分領域をまたがるたびに、レーザー光の現在の照射位置についてのＡＴＩＰアドレス及びＰＳＮアドレスをデコードする。そして、このデコードしたＡＴＩＰアドレス及びＰＳＮアドレスを参照することによって、レーザー光が目的とする照射位置に到達したか否かを判定していた。
【００１１】
【特許文献１】
特開２００２−５６６１７号公報
【００１２】
【発明が解決しようとする課題】
光ディスク装置は、一般的に、パソコンなどの情報処理装置より記録・再生要求を受信してから、光ディスクへのデータの記録・再生が実際に行われるまでの時間（アクセスタイム）が、ハードディスクなどのその他の周辺記憶装置よりも長いと言われている。そのため、前述した従来の光ディスク装置においても、アクセスタイムの短縮化、すなわち高速アクセス化を実現することは重要な課題となっている。
【００１３】
しかしながら、前述したＡＴＩＰアドレス及びＰＳＮアドレスのデコード処理は、当該光ディスク装置が、パソコンなどの情報処理装置から記録・再生要求を受け付けるたびに行われる。また、前述の情報処理装置から一回の記録・再生要求に応じたアクセスであっても、レーザー光の移動が複数の前記区分領域にまたがるアクセスとなる場合には、レーザー光の照射位置が前記区分領域をまたがるたびにＡＴＩＰアドレス及びＰＳＮアドレスのデコード処理が行われることになる。
【００１４】
特に、レーザー光の照射位置の移動区間が長くなる場合には、デコード処理回数の増大化は顕著となる。また、このデコード処理回数の増大化に伴って、光学ヘッドなどを介してＣＤ規格媒体が有するウォブリング情報及びＩＤ情報の光学的な読み取りが何度も行われることになる。従来の光ディスク装置は、前述したデコード処理回数の増大化によって、処理負荷を増大させるとともに、高速アクセス化の実現を困難とさせる要因となっていた。
【００１５】
ここで、本発明は、前述した課題を解決するためになされたものであり、処理負荷を軽減させ、高速アクセス化を実現する光ディスク装置及びその制御方法を提供することを目的とする。
【００１６】
【課題を解決するための手段】
前記課題を解決するための主たる本発明は、所定の記録密度の第１の記録領域ごとに付与される第１のアドレス情報を有している光ディスクに対して、前記第１の記録領域を論理的に区分した第２の記録領域ごとに付与される第２のアドレス情報を用いてアクセスを制御し、前記第１の記録領域に対して前記所定の記録密度よりも記録密度を高めてデータの記録を行うことが可能な光ディスク装置において、前記光ディスクに照射されるレーザー光の第１の照射位置とする前記第２の記録領域について、当該第２の記録領域に付与された前記第２のアドレス情報を決定する第２のアドレス情報決定手段と、前記レーザー光の照射位置が、前記第１の照射位置から所定の第２の照射位置とする前記第２の記録領域へ移動する間、前記決定された第２のアドレス情報に基づいて、前記第１の照射位置から前記第２の照射位置までの間でアクセスされる前記第２の記録領域に付与された前記第２のアドレス情報を生成する第２のアドレス情報生成手段と、を有することとする。
【００１７】
なお、前述の『第１のアドレス情報』は、例えば、後述の「ＡＴＩＰアドレス」のことであり、前述の『第２のアドレス情報』は、例えば、後述の「ＰＳＮアドレス」若しくは「ＩＤ情報」のことである。
前述の『第１の記録領域を論理的に区分した第２の記録領域』とは、本発明に係る光ディスク装置が、高密度記録モードにて採用する論理フォーマットに従って、後述の１ＡＴＩＰ区間に相当する第１の記録領域を所定数（記録密度の倍率）に区分した第２の記録領域のことを示す。
前述の『第２のアドレス情報決定手段』とは、例えば、後述の「ＡＴＩＰ−ＰＳＮ変換部」のことであり、前述の『第２のアドレス情報生成手段』とは、例えば、後述の「アドレス更新部」のことである。
前述の『アクセス』とは、例えば、後述のシーク動作時やシーケンシャルアクセス時における光ディスクへのデータの記録又は再生のことである。例えば、シーク動作の場合では、光ディスクからウォブリング情報の光学的な読み出し（再生）に該当する。また、シーケンシャルアクセス（トレースを含む）の場合では、前述のウォブリング情報の光学的な読み出し（再生）の他に、光ディスクへの実データの記録又は再生に該当する。
前述の『第１の照射位置』とは、例えば、後述の「シーク開始位置」や「（シーケンシャル）アクセス開始位置」のことであり、前述の「第２の照射位置」とは、例えば、後述の「シーク目標位置」や「アクセス終了位置」のことである。
【００１８】
このようにして、本発明に係る光ディスク装置は、第２のアドレス情報を用いてアクセス制御を行うとともに高密度記録が可能な従来の光ディスク装置（以下、従来の光ディスク装置と称する）と比較すると、高密度記録された状態にある光ディスクが有するＩＤ情報の光学的な読み出しや、その読み出したＩＤ情報から第２のアドレス情報を生成（デコード）する処理を行う必要がなくなる。
このことは、本発明に係る光ディスク装置の処理負荷を軽減させるとともに高速アクセス化を実現することができる。また、従来の光ディスク装置が備えていた後述のＰＳＮデコーダを備える必要がなくなるので、その分、小型化・低消費電力・低コスト化などを実現可能となる。
【００１９】
本発明に係る第２の態様として、前記光ディスクは、前記第１のアドレス情報をトラックのウォブリング情報に対応づけて有しており、前記光ディスク装置は、前記第１の照射位置に照射されているレーザー光の反射光に基づいて、前記光ディスクから読み出された前記ウォブリング情報を受信し、前記受信したウォブリング情報に対応づけられる前記第１のアドレス情報を生成する第１のアドレス情報生成手段を有し、前記第２のアドレス情報決定手段は、前記第１のアドレス情報生成手段によって生成された第１のアドレス情報に基づいて、当該第１のアドレス情報に対応づけられる前記第２のアドレス情報を決定することとする。    前述の『第１のアドレス情報生成手段』とは、例えば、後述の「ＡＴＩＰデコーダ」のことである。
【００２０】
このように、第２のアドレス情報決定手段は、従来の光ディスク装置が備えていた同様な処理を担当する後述のＰＳＮデコーダと比較すると、第１の照射位置についての第２のアドレス情報を決定するために、光ディスクから読み出した光学的な情報についてのデコード処理を１回実行するだけで済む。すなわち、本発明に係る光ディスク装置は、処理負荷が比較的大きなデコード処理を何度も行う必要がなくなるので、処理負荷が軽減されて、高速アクセス化を実現することができる。
【００２１】
本発明に係る第３の態様として、前記第２のアドレス情報生成手段は、前記第２のアドレス情報決定手段によって決定された前記第２のアドレス情報に対して、前記レーザー光の照射位置の移動量単位に応じた第１の加算値を順次加算していくことで、前記第１の照射位置から前記第２の照射位置までの間でアクセスされる前記第２の記録領域に付与された前記第２のアドレス情報を生成することとする。
前述の『移動量単位』とは、例えば、後述の「１ＡＴＩＰ区間単位」や「１ＥＣＣブロック単位」であり、前述の『第１の加算値』とは、例えば、後述のＰＳＮアドレス単位としての「２Ｈ」や「１６Ｈ」のことである。
このようにして、第２のアドレス情報生成手段は、従来の光ディスク装置が備えていた同様な処理を担当する後述のＰＳＮデコーダとは異なり、デコード処理を何度も行うのではなく、決定した第２のアドレス情報に対して第１の加算値を順次加算していく。こうした加算処理は、光ディスクから光学的な情報の読み出し及びデコード処理を必要とする従来のＰＳＮデコーダと比較すると、処理負荷が少なくて済む。すなわち、本発明に係る光ディスク装置は、処理負荷が軽減されて、高速アクセス化を実現することができる。
【００２２】
本発明に係る第４の態様として、前記光ディスク装置は、前記第１のアドレス情報生成手段によって生成された前記第１のアドレス情報のうち正常である第１のアドレス情報を記憶しておく記憶手段を有し、前記第２のアドレス情報決定手段は、前記第１のアドレス情報生成手段によって生成された前記第１のアドレス情報が正常でない場合に、前記記憶しておいた第１のアドレス情報に基づいて、前記第１の照射位置に付与された前記第２のアドレス情報を決定することとする。
前述の『記憶手段』とは、例えば、後述のＡＴＩＰ−ＰＳＮ変換部の「レジスタ」のことである。
光ディスク上にある埃や塵、または傷や偏芯ディスクなどの光ディスク自体が有する欠陥などによって、第１の照射位置についての第２のアドレス情報を決定するために必要な第１のアドレス情報が正常に生成されない、すなわちウォブリング情報の光学的な読み出しが正常に行われない場合がある。そこで、前述した仕組みとすることによって、第２のアドレス情報の決定についての信頼性、すなわち本発明に係る光ディスク装置としての信頼性が向上する。
【００２３】
本発明に係る第５の態様として、前記第２のアドレス情報決定手段は、前記記憶しておいた第１のアドレス情報に対応づけられる前記第２のアドレス情報を決定し、前記決定した前記第２のアドレス情報に対して前記レーザー光の移動量単位に応じた第２の加算値を加算した結果を、前記第１の照射位置に付与された前記第２のアドレス情報として決定することとする。
本態様は、前述の第４の態様についての一実施態様である。第２のアドレス情報の決定についての信頼性、すなわち、本発明に係る光ディスク装置としての信頼性を向上させることとなる。なお、前述の『第２の加算値』とは、例えば、後述のＰＳＮアドレス単位としての「２Ｈ」や「１６Ｈ」のことである。
【００２４】
本発明に係る第６の態様として、前記第２のアドレス情報決定手段は、前記記憶しておいた第１のアドレス情報に対して前記レーザー光の移動量単位に応じた第３の加算値を加算し、前記加算した結果とする前記第１のアドレス情報に対応づけられた前記第２のアドレス情報を、前記第１の照射位置に付与された前記第２のアドレス情報として決定することとする。
本態様は、前述の第４の態様についての一実施態様である。第２のアドレス情報の決定についての信頼性、すなわち、本発明に係る光ディスク装置としての信頼性を向上させることとなる。なお、前述の『第３の加算値』とは、例えば、後述のＡＴＩＰアドレス単位としての「１フレーム」のことである。
【００２５】
本発明に係る第７の態様として、前記光ディスクは、前記第１のアドレス情報を検査するためのアドレス検査用情報を、トラックのウォブリング情報に対応づけて有しており、前記光ディスク装置は、前記第１の照射位置に照射されているレーザー光の反射光に基づいて前記光ディスクから読み出された、前記ウォブリング情報に対応づけられた前記アドレス検査用情報に基づいて、前記第１のアドレス情報生成手段によって生成された前記第１のアドレス情報が正常であるか否かを検査する検査手段と、前記検査手段による検査の結果、正常であると判別された前記第１のアドレス情報を前記記憶手段に記憶する手段と、前記第２のアドレス情報決定手段に対して、前記第１のアドレス情報生成手段によって生成された前記第１のアドレス情報が正常であるか否かを判別させるべく前記検査手段による検査の結果を示す情報を送信する手段と、を有することとする。
なお、前述の『アドレス検査用情報』とは、例えば、後述の「ＣＲＣデータ」のことであり、前述の『検査手段』とは、例えば、後述の「ＣＲＣチェック回路」のことである。
このように、第１のアドレス情報が正常であるか否かを判別する仕組みを実現するために、従来の光ディスク装置が備えていたＣＲＣチェック回路を有効に利用することができる。このことによって、本発明に係る光ディスク装置を従来の光ディスク装置から小規模な変更で実現することができる。
【００２６】
本発明に係る第８の態様として、所定の記録密度の第１の記録領域ごとに付与される第１のアドレス情報を有している光ディスクに対して、前記第１の記録領域を論理的に区分した第２の記録領域ごとに付与される第２のアドレス情報を用いてアクセスを制御し、前記第１の記録領域に対して前記所定の記録密度よりも記録密度を高めてデータの記録を行うことが可能な光ディスク装置の制御方法において、前記光ディスクに照射されるレーザー光の第１の照射位置とする前記第２の記録領域について、当該第２の記録領域に付与された前記第２のアドレス情報を決定し、前記レーザー光の照射位置が、前記第１の照射位置から所定の第２の照射位置とする前記第２の記録領域へ移動する間、前記決定された第２のアドレス情報に基づいて、前記第１の照射位置から前記第２の照射位置までの間でアクセスされる前記第２の記録領域に付与された前記第２のアドレス情報を生成することとする。
【００２７】
このようにして、本発明に係る光ディスク装置の制御方法は、従来の光ディスク装置の制御方法と比較すると、高密度記録された状態にある光ディスクが有するＩＤ情報の光学的な読み出しや、その読み出したＩＤ情報から第２のアドレス情報を生成（デコード）する処理を行う必要がなくなる。
このことは、本発明に係る光ディスク装置の処理負荷を軽減させるとともに高速アクセス化を実現することができる。また、従来の光ディスク装置が備えていた後述のＰＳＮデコーダを備える必要がなくなるので、その分、小型化・低消費電力・低コスト化などを実現することができる。
本発明の他の特徴については、添付図面及び本明細書の記載により明らかにする。
【００２８】
【発明の実施の形態】
＝＝＝実施例＝＝＝
以下、本発明の実施の形態を図面に基づいて具体的に説明する。
【００２９】
＜システム構成＞
まず、本発明の一実施形態である光ディスク装置１００を含めたシステムの概略構成を、図１を用いて説明する。ここで、図１に示す光ディスク装置１００は、ＣＤ−Ｒ及びＣＤ−ＲＷなどの既存のＣＤ規格の物理フォーマットに準拠した光ディスク（ＣＤ規格媒体）２００に対して、高密度記録用アドレスを利用した記録・再生が可能である。なお、物理フォーマットとは、光ディスク２００の寸法や記録・再生方法、セクタ構成などを規定したものである。
なお、ユーザーの利便性を鑑みて、ＣＤ規格媒体に対して、当該ＣＤ規格の論理フォーマットに準拠した標準記録モードによる記録・再生をサポートするのが好適である。さらに、当該光ディスク装置１００は、ＤＶＤ−ＲＯＭ、ＤＶＤ−Ｒ及びＤＶＤ−ＲＷ／＋ＲＷなどのＤＶＤ（Ｄｉｇｉｔａｌ  Ｖｅｒｓａｔｉｌｅ  Ｄｉｓｋ）規格の物理フォーマットに準拠した光ディスク２００（ＤＶＤ規格媒体）に関して、当該ＤＶＤ規格の論理フォーマットに準拠した標準記録モードによる記録・再生をサポートしてもよい。なお、論理フォーマットとは、ファイルやディレクトリ、ボリュームといったデータ構造の仕組みを規定したものである。
【００３０】
以下では、説明の都合上、光ディスク２００は、ＣＤ規格媒体とする。このＣＤ規格媒体では、トラックを形成するプリグルーブ（案内溝）が、絶対時間情報などによりＦＭ変調された波形に則してウォブリング（蛇行）している。このプリグルーブからウォブリングの周波数を復調することによって、絶対時間情報であるＡＴＩＰ（Ａｂｓｏｌｕｔｅ  Ｔｉｍｅ  Ｉｎ  Ｐｒｅｇｒｏｏｖｅ）アドレス（『第１のアドレス情報』）を取得できる。
【００３１】
また、光ディスク装置１００は、ＣＤ規格媒体への記録・再生処理に採用する論理フォーマットとして、高密度記録用アドレス等による高密度記録モードのみをサポートするものとする。
【００３２】
同図に示すとおり、光ディスク装置１００は、光学ヘッド１、フロントエンド処理部２、光学ヘッドサーボ回路３、ＷＢＬ検出部４、ＡＴＩＰデコーダ（『第１のアドレス情報生成手段』）５、ＰＬＬ回路７、高密度記録モード用デコーダ８、高密度記録モード用エンコーダ９、インタフェース部１０、ＲＡＭ１１、システム制御マイコン１２、レーザー出力制御回路１３、レーザー駆動回路１４、スピンドルモーター１５、モーター駆動回路１６、モーター制御回路１７、を有する。
【００３３】
光学ヘッド１は、対物レンズ（不図示）と、この対物レンズを介して光ディスク２００に対してレーザー光を出射するレーザー素子１ａと、光ディスク２００からの反射光を受光する受光素子（不図示）などが組み込まれている。また、光学ヘッド１には、光学ヘッド１を記録・再生対象のトラックに移動させるためのスライド機構、光ディスク２００に出射したレーザー光を記録・再生対象のトラックに追従させる制御（トラッキング制御）を行うためのトラッキング機構、光ディスク２００に出射したレーザー光の焦点ずれを補正する制御（フォーカス制御）を行うためのフォーカス機構、などが組み込まれている（いずれも不図示）。
【００３４】
フロントエンド処理部２は、マトリクス演算回路や増幅回路や波形整形回路（イコライザ）などで構成されるＲＦアンプ、３ビーム法、プッシュプル法やＤＰＤ（Ｄｉｆｆｅｒｅｎｔｉａｌ  Ｐｈａｓｅ  Ｄｅｔｅｃｔｉｏｎ）法などに基づいたトラッキング誤差信号生成回路、非点収差法やフーコー法などに基づいたフォーカス誤差信号生成回路などを備える（いずれも不図示）。
【００３５】
ＲＦアンプは、光学ヘッド１の受光素子（不図示）にて受光光量に応じて生成された電気信号に基づいて、記録・再生対象のトラック上にあるピットの有無を判別するためのＲＦ信号（ラジオ周波信号）を生成する。なお、このＲＦ信号は２値化されている。また、ＲＦ信号は、ＡＴＩＰアドレスを取得するためのウォブリング周波数成分を含んでいる。さらに、光ディスク２００が予め高密度記録されている場合には、ＲＦ信号は、後述のＩＤ情報も含むことになる。
【００３６】
トラッキング誤差信号生成回路は、前述のＲＦアンプと同様に、光学ヘッド１の当該受光素子（不図示）にて受光光量に応じて生成された電気信号に基づいて、光学ヘッド１のトラッキング制御機構をサーボ制御するためのトラッキング誤差信号を生成する。また、フォーカス誤差信号生成回路も同様に、前述の受光素子（不図示）の電気信号に基づいて、光学ヘッド１のフォーカス制御機構をサーボ制御するためフォーカス誤差信号を生成する。
【００３７】
光学ヘッドサーボ回路３は、フロントエンド処理部２にて生成された各種誤差信号（トラッキング誤差信号やフォーカス誤差信号等）に基づいて、光学ヘッド１に組み込まれたサーボ機構（トラッキングサーボ機構やフォーカスサーボ機構等）を駆動するためのサーボ制御信号を生成する。そして、そのサーボ制御信号に基づいてサーボ機構の駆動をサーボ制御する。
【００３８】
ＷＢＬ検出部４は、ＢＰＦ（Ｂａｎｄ  Ｐａｓｓ  Ｆｉｌｔｅｒ）回路やコンパレータ等によって構成される。この構成において、ＢＰＦ回路は、フロントエンド処理部２にて生成されたＲＦ信号を受信し、その受信したＲＦ信号からウォブリング周波数成分（中心周波数２２．０５ｋＨｚ）を抽出する。このウォブリング周波数成分と基準となる電圧とをコンパレータにて比較することで、２値化データとしてのＷＢＬ（Ｗｏｂｂｌｅ）信号をＡＴＩＰデコーダ５やモーター制御回路１７に送信する。
【００３９】
ＡＴＩＰデコーダ５は、ＷＢＬ検出部４から受信した１ＡＴＩＰ区間（後述）あたりのＷＢＬ信号に基づいて、ＡＴＩＰアドレスをデコードする。ここで、１ＡＴＩＰ区間あたりのＷＢＬ信号には、同期検出用のパターン、当該ＷＢＬ信号が記録されている記録領域に付与される識別子、ＡＴＩＰアドレス等を含めたウォブリング情報、当該ウォブリング情報のビット誤り等を検出するためのＣＲＣデータ（『アドレス検査用情報』）などを含んでいる（図２参照）。
【００４０】
また、ＡＴＩＰデコーダ５は、ＣＲＣチェック回路（『検査手段』）６を有している。ＣＲＣチェック回路６は、１ＡＴＩＰ区間あたりのＷＢＬ信号からＡＴＩＰアドレスが正常にデコードしたか否かを判定するために、前述のＣＲＣデータに基づいてＣＲＣチェックを行う。なお、ＡＴＩＰアドレスのデコード結果の検査方式としては、前述したＣＲＣチェック方式に限定されるものではなく、例えば、水平・垂直パリティビット（『アドレス検査用情報』）を用いたパリティチェック方式やＥＣＣ（Ｅｒｒｏｒ  Ｃｏｒｒｅｃｔｉｎｇ  Ｃｏｄｅ；『アドレス検査用情報』）を用いたＥＣＣチェック方式を採用してもよい。
【００４１】
ＰＬＬ回路７は、位相比較器、チャージポンプ、ＬＰＦ、ＶＣＯ、分周回路などを備える。この構成において、ＰＬＬ回路７は、ＷＢＬ検出部４から受信したＷＢＬ信号に基づいて、光ディスク２００の規格に応じたデコード処理時のタイミング信号として用いられるクロック信号を生成する。
【００４２】
高密度記録モード用デコーダ８は、前述の高密度記録モード時において、光ディスク２００への再生処理に採用する論理フォーマットに対応したデコード処理を行う。なお、本発明では、ＤＶＤ規格にて規定された論理フォーマットに対応したデコード処理を採用する。ＤＶＤ規格では、変調コードとしてＥＦＭ−ｐｌｕｓを、また誤り訂正符号としてＲＳ（Ｒｅｅｄ  Ｓｏｌｏｍｏｎ）Ｐｒｏｄｕｃｔ−Ｃｏｄｅを採用している。そこで、高密度記録モード用デコーダ８は、ＰＬＬ回路７にて生成されたクロック信号及びフロントエンド処理部２にて検出されたＲＦ信号（ＲＦ信号の入力ラインは不図示）に基づいて、これらの変調コード及び誤り訂正符号に基づいたデコード処理を行うものとする。
【００４３】
高密度記録モード用エンコーダ９は、パソコン等の情報処理装置（不図示）からインタフェース部１４を介して入力される記録データに関して、前述の高密度記録モードにて光ディスク２００への記録処理に採用する論理フォーマットに応じたエンコード処理を行う。なお、本発明では、高密度記録モード用デコーダ８との関連により、ＤＶＤ規格にて規定された論理フォーマットに対応したエンコード処理を採用する。このエンコード処理としては、記録・再生時の誤り訂正単位であるＥＣＣブロックを構成するための処理や、ＥＦＭ−ｐｌｕｓ変調処理、スクランブル処理などが該当し、これらの処理が施された後の記録用変調信号をレーザー出力制御回路１３に送信する。
インタフェース部１０は、光ディスク装置１００とパソコン等の情報処理装置（不図示）などとの間における記録・再生データの送受信を制御する。
【００４４】
ＲＡＭ１１は、当該情報処理装置（不図示）からインタフェース部１０を介して再生要求を受信した場合に、高密度記録モード用デコーダ８においてデコード処理中の中間データやデコード処理後の再生データを一時記憶する。この一時記憶された再生データは、インタフェース部１０を介して当該情報処理装置（不図示）に送信される。
また、ＲＡＭ１１は、当該情報処理装置（不図示）からインタフェース部１０を介して記録要求の対象となる記録データが入力された場合には、その記録データを一時記憶する。この一時記憶された記録データは、高密度記録モード用エンコーダ９におけるエンコード処理の際にアクセスされることになる。
【００４５】
システム制御マイコン１２は、光ディスク２００の記録及び再生に係る光ディスク装置１００全般のシステム制御を司る。なお、本発明では、システム制御マイコン１２が、ＡＴＩＰデコーダ５に対しての割り込み処理によって、ＡＴＩＰデコーダ５においてデコードしたＡＴＩＰアドレスと、そのＡＴＩＰアドレスがＣＲＣチェック回路６においてＣＲＣチェックされた結果（以下、ＣＲＣチェック結果情報と称する）を取得するものとする。
なお、本発明では、システム制御マイコン１２は、特に、ＡＴＩＰ−ＰＳＮ変換部（『第２のアドレス情報決定手段』）１２ａ、アクセス制御部１２ｄを有する。
【００４６】
ＡＴＩＰ−ＰＳＮ変換部１２ａは、ＡＴＩＰデコーダ５から取得したＡＴＩＰアドレスを、後述のＡＴＩＰ−ＰＳＮ変換方法に基づいて、高密度記録用アドレスとしてのＰＳＮ（Ｐｈｙｓｉｃａｌ  Ｓｅｃｔｏｒ  Ｎｕｍｂｅｒ）アドレス（『第２のアドレス情報』）に変換する。
また、ＡＴＩＰ−ＰＳＮ変換部１２ａは、ＡＴＩＰ補正部１２ｂを有している。ＡＴＩＰ補正部１２ｂは、ＡＴＩＰデコーダ５から取得したＡＴＩＰアドレスのうち、ＡＴＩＰデコーダ５からＡＴＩＰアドレスと併せて取得したＣＲＣチェック結果情報に基づいて、ＣＲＣチェック結果が正常であるＡＴＩＰアドレスを判別して、レジスタ（『記憶手段』）１２ｃに記憶しておく。そして、ＡＴＩＰデコーダ５から取得したＡＴＩＰアドレスに関して、そのＣＲＣチェック結果が正常でない場合には、レジスタ１２ｃに記憶しておいた（正常である）ＡＴＩＰアドレスに基づいて補正する。
【００４７】
このＡＴＩＰ補正部１２ｂは、例えば、光ディスク２００上にある埃や塵、または傷や偏芯ディスクなどの光ディスク２００自体の欠陥などによって、ウォブリング情報の光学的な読み出しが正常に行われない場合を鑑みて、ＡＴＩＰ−ＰＳＮ変換部１２ａにおいて変換したＰＳＮアドレスの信頼性、すなわち光ディスク装置１００の信頼性を向上させるために備えた仕組みである。
なお、レジスタ１２ｃには、ＡＴＩＰデコーダ５から取得したＡＴＩＰアドレス及びＣＲＣチェック結果情報を対応づけて記憶してもよい。また、レジスタ１２ｃは、ＲＡＭなどのその他の記憶手段としてもよい。
アクセス制御部１２ｅは、ＡＴＩＰ−ＰＳＮ変換部１２ａにて変換したＰＳＮアドレスを取得し、光ディスク２００へのアクセス、すなわち、シーク動作やデータの記録・再生処理を制御するために使用する。
【００４８】
なお、データの記録処理の制御とは、取得したＰＳＮアドレスで指定される１ＥＣＣブロック分の記録領域（８ＡＴＩＰ区間）に対して、ＲＡＭ１１に一時記憶されてある記録データのエンコード処理を開始すべく、高密度記憶モード用エンコーダ９などを制御することである。
また、同様に、データ再生処理の制御とは、取得したＰＳＮアドレスで指定される１ＥＣＣブロック分の記録領域からの再生データのデコード処理を開始すべく、高密度記録モード用デコーダ８やＰＬＬ回路７などを制御することである。
【００４９】
また、アクセス制御部１２ｄは、以下のようなアドレス更新部（『第２のアドレス情報生成手段』）１２ｅを有している。
アドレス更新部１２ｅは、例えば、シーク動作が行われる場合には、ＡＴＩＰ−ＰＳＮ変換部１２ａから取得したシーク開始位置（『第１の照射位置』）のＰＳＮアドレスを、当該情報処理装置（不図示）から指定された記録・再生対象のシーク目標位置（『第２の照射位置』）に対応するＰＳＮアドレスに更新する。この更新したＰＳＮアドレスは、光学ヘッドサーボ回路３に送信される。光学ヘッドサーボ回路３では、アクセス制御部１２ｄから受信したＰＳＮアドレスに基づいて、光学ヘッド１を移動させるべく光学ヘッド１のスライド機構（不図示）を制御し、レーザー光がシーク目標位置に照射される場所にて当該光学ヘッド１を位置決めするサーボ制御が行われる。
【００５０】
なお、シーク動作において、当該光学ヘッド１の位置決めの精度を向上させるために、光学ヘッド１を所定の移動量単位ずつトラックに沿う方向に移動させる場合がある。この場合、アドレス更新部１２ｅは、システム制御マイコン１２がシーク開始位置以降のＡＴＩＰアドレスを取得するタイミングで、シーク開始位置のＰＳＮアドレスに対して前述の移動量単位に応じた『第１の加算値』（例えば、１セクタ間の差分ＰＳＮアドレス”２Ｈ”を順次加算していくことで、シーク開始位置のＰＳＮアドレスを更新する。この更新によって、シーク動作時にアクセスされる記録領域のＰＳＮアドレスが順次生成されることになる。
【００５１】
また、アドレス更新部１２ｅは、データの記録中・再生中においても、ＰＳＮアドレスの更新を行う。例えば、複数ＥＣＣブロック分の記録領域がシーケンシャルアクセスされる場合、アドレス更新部１２ｅは、アクセス開始位置（『第１の照射位置』）以降のＡＴＩＰアドレスを１ＥＣＣブロック単位で取得するタイミングで、前述と同様に『第１の加算値』（例えば、１ＥＣＣブロック間の差分ＰＳＮアドレス”１６Ｈ”）を順次加算していくことで、アクセス開始位置のＡＴＩＰアドレスを更新する。この更新によって、シーケンシャルアクセスされる記録領域についてのＰＳＮアドレスが順次生成されることになる。
【００５２】
なお、前述したＡＴＩＰ−ＰＳＮ変換部１２ａ、ＡＴＩＰ補正部１２ｂ、アクセス制御部１２ｄ、アドレス更新部１２ｅは、システム制御マイコン１２のファームウェアにて実現することが可能である。
【００５３】
レーザー出力制御回路１３は、高密度記録モード用エンコーダ９から受信した記録用変調信号に基づいて、レーザー素子１ａをレーザー発光駆動するためのパルス信号を生成する。このパルス信号は、レーザー駆動回路１４に送信される。なお、レーザー出力制御回路１３は、システム制御マイコン１２による制御下で、光ディスク２００の記録層の特性やレーザー光のスポット形状などを判別して、レーザー素子１ａから出射されるレーザー光の最適出力レベルを設定するための処理も行う。
【００５４】
レーザー駆動回路１４は、レーザー出力制御回路１３から受信したパルス信号に基づいて、レーザー素子１ａを記録時においてレーザー発光駆動する。これによって、レーザー素子１ａからレーザー光が出射され、高密度記録モード用エンコーダ９出力の記録用変調信号に応じたピットが、光ディスクのトラックに形成される。また、再生時では、フロントエンド処理部２の内部又は外部に備える不図示のＡＰＣ（Ａｕｔｏｍａｔｉｃ  Ｐｏｗｅｒ  Ｃｏｎｔｒｏｌ）回路の制御下で、レーザー素子１ａをレーザー発光駆動する。なお、光学ヘッド１には、レーザー素子１ａから出射されるレーザー光のパワーを検出するための検出器（不図示）が備わっており、ＡＰＣ回路は、この検出器にて検出されたレーザー光のパワーを監視しつつ、レーザー素子１ａから出射されるレーザー光のパワーが一定となるための制御を行う。
【００５５】
スピンドルモーター１５は、光ディスク２００を回転駆動するモーターであり、モーター駆動回路１６は、スピンドルモーター１５を回転駆動するための回路である。モーター制御回路１７は、ＷＢＬ検出部４から受信したＷＢＬ信号に基づくウォブリング周波数の情報を用いて、ＣＤ規格による線速度一定方式にてスピンドルモーター１５の回転駆動制御を行うための回路である。あるいは、スピンドルモーター１５の回転に応じて発生するパルス信号を用いて、角速度一定方式にてスピンドルモーター１５の回転駆動制御を行ってもよい。
【００５６】
＜高密度記録モードのデータ構造＞
光ディスク装置１００が、ＣＤ−ＲやＣＤ−ＲＷなどのＣＤ規格媒体である光ディスク２００に対して、記録・再生処理に採用する論理フォーマットとしての高密度記録モードについて詳細に説明する。
【００５７】
まず、図２を用いて、標準記録モードにおけるデータ構造について説明する。同図に示すとおり、ＣＤ規格媒体に対して記録されるデータの最小単位は、ＣＤ規格のＥＦＭ（Ｅｉｇｈｔ  ｔｏ  Ｆｏｕｒｔｅｅｎ  Ｍｏｄｕｌａｔｉｏｎ）変調方式に基づいた１ＥＦＭフレームとなる。そして、９８ＥＦＭフレームにて５８８ビットの１フレームが構成される。また、この１フレームによって、”Ｐ，Ｑ，Ｒ，…，Ｗ”からなるサブコードデータ（トラック番号、インデックス情報、絶対・相対アドレス等を含む）が生成される。
【００５８】
また、ＣＤ規格媒体の内周部のトラックから外周部のトラックに向かって、トラックのウォブリング情報に対応づけられた絶対アドレスが付与されている。この絶対アドレスは、絶対時間情報としてのＡＴＩＰアドレスに該当する。ＡＴＩＰアドレスは、通常、２４ビットのデータで構成され、上位８ビットは「分（ｍｉｎｕｔｅ）」を示し、続く８ビットは「秒（ｓｅｃｏｎｄ）」を示し、下位８ビットは「フレーム」を示す。なお、「分」、「秒」、「フレーム」の各データは、２進化１０進数（ＢＣＤ；Ｂｉｎａｒｙ  Ｃｏｄｅｄ  Ｄｅｃｉｍａｌ）にて表現される。
【００５９】
また、１秒間あたりのフレーム数は”７５”（００フレーム〜７４フレーム）である。ここで、”１／７５”秒間に相当するＡＴＩＰアドレスによって設定される記録領域（以下、１ＡＴＩＰ区間と称する。『第１の記録領域』）は、光ディスク装置１００において記録・再生単位として扱う１セクタとなる。この１セクタ分の記録領域は、通常２ｋバイトで構成され、前述したようにシンクパターン、識別子、ウォブリング情報、ＣＲＣデータなどが記録される。
【００６０】
つぎに、図３を用いて、高密度記録モードの場合のデータ構造について説明する。この高密度記録モードでは、例えば、標準記録モードに対して２．０倍の記録密度を実現する。この場合、１ＡＴＩＰ区間では、２セクタ分、すなわち４ｋバイトのデータが記録される。なお、この場合の１セクタ分の記録領域（『第２の記録領域』）には、ＰＳＮアドレスに対応づけられるＩＤ情報や、記録データ、ＩＤ情報及び記録データを検査するためのパリティビット等が記録される。
【００６１】
また、前述したとおり、高密度記録モードでは、ＤＶＤ規格に準拠した変調・復調方式を採用しているため、光ディスク装置１００において記録・再生単位としては、１ＥＣＣ（Ｅｒｒｏｒ  Ｃｏｒｒｅｃｔｉｏｎ  Ｃｏｄｅ）ブロックが採用される。なお、１ＥＣＣブロック分のデータは、８ＡＴＩＰ区間に相当する記録領域に記録されるものとする。すなわち、１ＥＣＣブロックには、１６セクタ分（３２ｋバイト）のデータが記録されることになる。
【００６２】
＜ＡＴＩＰアドレスとＰＳＮアドレスの関係＞
＝＝＝物理フォーマット＝＝＝
高密度記録モードにて採用する光ディスク２００の物理フォーマットについて説明する。
光ディスク２００の物理フォーマットは、例えば、図４上段部に示すような構成となる。同図に示すように、光ディスク２００の内周側から外周側に対して、フォーマットエリア、ＰＣＡ（Ｐｏｗｅｒ  Ｃａｌｉｂｒａｔｉｏｎ  Ａｒｅａ）、ＰＭＡ（Ｐｒｏｇｒａｍ  Ｍｅｍｏｒｙ  Ａｒｅａ）、ＴＯＣ（Ｔａｂｌｅ  Ｏｆ  Ｃｏｎｔｅｎｔｓ）エリア、プログラムエリア及びリードアウトエリアが設けられている。
【００６３】
フォーマットエリアは、高密度記録モードにおいて光ディスク２００のフォーマット処理が実行された場合に、所定のデータ（例えば、オール”０”）が記録される。ＰＣＡは、レーザー素子１ａの記録パワーの設定制御として試し書きを行うためのテストエリアと、試し書きされたテストエリア内のアドレスや試し書き回数を記憶するためのカウンタエリアが設けられる。
ＰＭＡは、トラックへの記録毎に、記録モードの情報や記録開始及び終了時間情報などを一時的に記録するための領域として使用される。また、予定された全てのトラックが記録された後、ＰＭＡに記録された情報に基づいて生成されたＴＯＣ情報が、ＴＯＣエリアに記録される。
プログラムエリアは、ユーザー使用可能領域として、実データの記録及び再生のための領域である。リードアウトエリアは、光ディスク２００の記録及び再生の終了位置を識別するための領域である。
以上の構成により、高密度記録モードにて採用する物理フォーマットは、既存のＣＤ規格に準拠した物理フォーマットと比較すると、プリギャップエリアなどが省略されており、高密度な記録が可能となる。
【００６４】
＝＝＝  ＡＴＩＰアドレス  ＝＝＝
ＡＴＩＰアドレスについて詳細に説明する。
【００６５】
図４中段部は、光ディスク装置１００が、光ディスク２００のプリグルーブの物理的なウォブリング情報をデコードして得られるＡＴＩＰアドレスの設定情報を示している。このＡＴＩＰアドレスは、光ディスク２００のトラックに付与された物理アドレスとしての一面と、光ディスク装置１００が光ディスク２００への記録又は再生の制御するために用いる論理アドレスとしての一面がある。
【００６６】
プログラムエリアの最内周側に相当するＡＴＩＰアドレス（以下、第１の基準ＡＴＩＰアドレスと称する。）は、”００（分）：００（秒）：００（フレーム）”である。そして、このプログラムエリアの最内周側から外周側に向かっての記録領域（以下、外周側記録領域と称する。）では、”１秒間＝７５フレーム”の換算にて、第１の基準ＡＴＩＰアドレスを１フレーム単位で単純増加していったＡＴＩＰアドレスが付与される。なお、本発明では、外周側記録領域におけるＡＴＩＰアドレスの最大値を”８９（分）：５９（秒）：７４（フレーム）”としている。
【００６７】
一方、第１の基準ＡＴＩＰアドレスより内周側の記録領域（以下、内周側記録領域と称する。）は、ＰＣＡやＰＭＡなどのユーザーが使用不可能な予約領域である。この内周側記録領域にもＡＴＩＰアドレスが付与されている。本発明では、例えば、内周側記録領域におけるＡＴＩＰアドレスの最小値（以下、第２の基準ＡＴＩＰアドレスと称する。）を、”９０（分）：００（秒）：００（フレーム）”としている。そして、内周側記録領域では、外周側記録領域と同様に、”１秒間＝７５フレーム”の換算にて、第２の基準ＡＴＩＰアドレスを１フレーム単位で単純増加していったＡＴＩＰアドレスが付与される。
【００６８】
＝＝＝  ＰＳＮアドレス  ＝＝＝
ＰＳＮアドレスについて詳細に説明する。
【００６９】
図４下段部は、光ディスク装置１００が、光ディスク２００への記録又は再生を高密度記録モードにて行う場合に論理アドレスとして用いるＰＳＮアドレスの設定情報を示している。
ここで、ＰＳＮアドレスとは、当該ＡＴＩＰアドレスとしての絶対アドレスを”ｘ”とする場合に、”ｙ＝ｎ×（ｘ−ｍ）＋ｍ”によって算出される高密度記録用アドレス（ｙ）を示す。ここで、”ｎ”は記録密度についての倍率（標準記録モードの倍率を１とする）であり、２．０倍の記録密度であれば”ｎ＝２．０”である。また、”ｍ”は基準アドレスである。
【００７０】
すなわち、ＰＳＮアドレスは、絶対アドレス”ｘ”に基づいた単位時間（”１／７５”秒間）に相当する記録領域（１ＡＴＩＰ区間）を、記録密度についての倍率（ｎ）によって区分するという高密度記録モードの論理フォーマットに従って、１ＡＴＩＰ区間の論理的な区分領域に付与されることになる。このＰＳＮアドレスを用いた高密度記録モードによる記録によって、１ＡＴＩＰ区間にはｎ倍のデータが記録され、その結果、光ディスク２００の記録密度はｎ倍となる。
【００７１】
なお、本発明では、記録密度の倍率（ｎ）を”２”とし、プログラムエリアの最内周側のＰＳＮアドレス（ｍ）を”３００００Ｈ（Ｈｅｘａｄｅｃｉｍａｌ  ：１６進）”とする。この場合、外周側記録領域のＡＴＩＰアドレスに対応づけられるＰＳＮアドレス（ｙ）は、”ｙ＝２×（ｘ（１６進）−３００００Ｈ）＋３００００Ｈ”として算出される。例えば、”００（分）：００（秒）：０１（フレーム）”のＡＴＩＰアドレスに対応するＰＳＮアドレスは、”３０００２Ｈ＝２×（３０００１Ｈ−３００００Ｈ）＋３００００Ｈ”である。
【００７２】
このように、ＡＴＩＰアドレスとＰＳＮアドレスは、相互に対応づけられている。また、このことは、光ディスク装置１００が、高密度記録モードによる光ディスク２００への記録又は再生において、ＰＳＮアドレスだけでなく、ＡＴＩＰアドレスを用いることが可能であることを意味する。
【００７３】
＝＝＝  ＡＴＩＰアドレスからＰＳＮアドレスへの変換  ＝＝＝
図５は、ＡＴＩＰ−ＰＳＮ変換部１２ａにおいて、ＡＴＩＰアドレスからＰＳＮアドレスへの変換処理を説明するためのフローチャートである。なお、以下では、説明の都合上、ＡＴＩＰデコーダ５においてデコードしたＡＴＩＰアドレスについて、ＣＲＣチェック回路６によってＣＲＣチェックした結果が正常であるものとする。
【００７４】
まず、ＡＴＩＰ−ＰＳＮ変換部１２ａは、ＡＴＩＰデコーダ５においてデコードしたＡＴＩＰアドレスを取得し、”分”情報に関する変換変数Ａ、”秒”情報に関する変換変数Ｂ、”フレーム”情報に関する変換変数Ｃに対して、それぞれの情報をセットする（Ｓ５００）。そして、変換変数（Ａ，Ｂ，Ｃ）のセット値に基づいて、総フレーム数ＴＦ（＝（６０Ａ＋Ｂ）×７５＋Ｃ）を計算する（Ｓ５０１）。
【００７５】
ここで、変換変数Ａのセット値が、外周側記録領域に付与されたＡＴＩＰアドレスの”分”情報であるか否かを、”０（分）≦Ａ＜９０（分）”の条件式に基づいて判定する（Ｓ５０２）。変換変数Ａのセット値が、前述の条件式に適合すれば（Ｓ５０２：ＹＥＳ）、Ｓ５０１にて計算した総フレーム数ＴＦに記録密度の倍率（ｎ）である”２”を乗算しさらに１６進数に変換した値に対し、第１の基準ＡＴＩＰアドレス”３００００Ｈ”を加算することで、ＰＳＮアドレスが求められる。すなわち、外周側記録領域におけるＡＴＩＰアドレスは、”（ＴＦ×２）（Ｈ）＋３００００Ｈ”の換算式にて、ＰＳＮアドレスに変換することができる（Ｓ５０３）。
【００７６】
一方、変換変数Ａのセット値が、前述の条件式に不適合であれば（Ｓ５０２：ＮＯ）、第２の基準ＡＴＩＰアドレス”９０（分）：００（秒）：００（フレーム）”の総フレーム数ＭＩＮ＿ＴＦと、Ｓ５０１にて計算した総フレーム数ＴＦとの差分に相当するＰＳＮアドレス数（以下、差分ＰＳＮアドレスと称する。）を計算する。この差分ＰＳＮアドレスは、”（ＴＦ−ＭＩＮ＿ＴＦ）×２”の結果を１６進数に変換することで計算される（Ｓ５０４）。そして、第２の基準ＡＴＩＰアドレス”９０（分）：００（秒）：００（フレーム）”に相当する１６進数のＰＳＮアドレスと、Ｓ５０４にて計算した差分ＰＳＮアドレスとを加算することで、ＰＳＮアドレスが求められる（Ｓ５０５）。
【００７７】
このようにして、ＡＴＩＰ−ＰＳＮ変換部１２ａにおいて、ＡＴＩＰアドレスからＰＳＮアドレスに変換されることになる。なお、以上説明したＳ５０１の処理は、Ｓ５０２の後に実行してもよい。また、第２の基準ＡＴＩＰアドレスの総フレーム数ＭＩＮ＿ＴＦは、Ｓ５０４にて計算してもよいし、予めＲＡＭ１１などのシステム制御マイコン１２がアクセス可能なメモリに記憶しておいてもよい。
【００７８】
＜システム制御マイコンの動作＞
以下では、本発明において特徴的な処理を担当するシステム制御マイコン１２の動作について説明する。
図６は、システム制御マイコン１２の動作を説明するフローチャートである。同図に示す動作としては、例えば、レーザー光の照射位置をシーク開始位置（『第１の照射位置』）からシーク目標位置（『第２の照射位置』）に到達させるべく、光学ヘッド１を所定の移動量単位分ずつ移動させるシーク動作や、アクセス開始位置（『第１の照射位置』）からアクセス終了位置（『第２の照射位置』）までの間に含まれる複数ＥＣＣブロック分の記録領域がシーケンシャルアクセスされる場合の処理を想定したものである。
【００７９】
なお、レーザー光の照射位置の移動が終了するまで、ＡＴＩＰデコーダ５にてＡＴＩＰアドレスのデコード処理は継続して行われている。このため、光ディスク装置１００は、ＡＴＩＰデコーダ５にてデコードしたＡＴＩＰアドレスを参照することで、レーザー光の現在の照射位置を識別することができる。
【００８０】
また、以下の説明では、特に断らない限り、システム制御マイコン１２にて実行されるものとする。
【００８１】
まず、レーザー光の現在の照射位置からの反射光に基づいて、ＷＢＬ検出部４では、１ＡＴＩＰ区間あたりのＷＢＬ信号が検出され、さらに、ＡＴＩＰデコーダ５では、ＷＢＬ検出部４において検出されたＷＢＬ信号に基づいて当該１ＡＴＩＰ区間についてのＡＴＩＰアドレスがデコードしているものとする。また、ＣＲＣチェック回路６では、ＡＴＩＰデコーダ５におけるＡＴＩＰアドレスのデコード処理が正常に行われたか否かを判定するために、ＣＲＣチェックが実行されたものとする。
【００８２】
ここで、システム制御マイコン１２は、ＡＴＩＰデコーダ５への割り込み処理によって、ＡＴＩＰデコーダ５においてデコードしたＡＴＩＰアドレスと、ＣＲＣチェック回路５ｂにおいてＣＲＣチェックした際のＣＲＣチェック結果情報を取得する（Ｓ６００）。そして、ＡＴＩＰ−ＰＳＮ変換部１２ａにおいて、Ｓ６００にて取得したＣＲＣチェック結果情報が、ＡＴＩＰデコーダ５におけるデコード処理が正常に行われた旨を示すか否かの判定を行う（Ｓ６０１）。
【００８３】
ここで、ＡＴＩＰ−ＰＳＮ変換部１２ａは、Ｓ６００にて取得したＣＲＣチェック結果情報が正常である旨を示す場合に（Ｓ６０１：ＹＥＳ）、Ｓ６００にて取得したＡＴＩＰアドレスをレジスタ１２ｃに記憶しておく（Ｓ６０２）。また、ＡＴＩＰ−ＰＳＮ変換部１２ａは、Ｓ６００にて取得したＡＴＩＰアドレスをＰＳＮアドレスに変換する（Ｓ６０３）。
【００８４】
一方、ＡＴＩＰ−ＰＳＮ変換部１２ａは、Ｓ６００にて取得したＣＲＣチェック結果情報が正常でない旨を示す場合に（Ｓ６０１：ＮＯ）、ＡＴＩＰ補正部１２ｂによって、レジスタ１２ｃに最後に記憶した前回の（１ＡＴＩＰ区間前の）ＡＴＩＰアドレスが読み出される。そして、ＡＴＩＰ補正部１２ｂが、このＡＴＩＰアドレスに対応するＰＳＮアドレスに変換した後、”２Ｈ（『第２の加算値』）”を加算する（Ｓ６０４）。
【００８５】
つぎに、アクセス制御部１２ｄが、Ｓ６０３又はＳ６０４にて決定したＰＳＮアドレスを取得し、レーザー光の現在の照射位置とする当該１ＡＴＩＰへのアクセスを開始すべく、高密度記録モード用デコーダ８（データ再生の場合）又は高密度記録モード用エンコーダ９（データ記録の場合）などを制御する（Ｓ６０５）。そして、Ｓ６０３又はＳ６０４にて決定したＰＳＮアドレスが、レーザー光の移動終了位置（シーク目標位置、アクセス終了位置）のＰＳＮアドレスであるか否かを判定する（Ｓ６０６）。
【００８６】
ここで、Ｓ６０３又はＳ６０４にて決定したＰＳＮアドレスが、移動終了位置のＰＳＮアドレスである場合（Ｓ６０６：ＹＥＳ）、シーク動作又はシーケンシャルアクセスなどの処理を終了する。一方、Ｓ６０３又はＳ６０４にて決定したＰＳＮアドレスが、移動終了位置のＰＳＮアドレスでない場合（Ｓ６０６：ＮＯ）、次の１ＡＴＩＰ区間へのレーザー光の照射位置の移動が行われる。そして、システム制御マイコン１２が次の１ＡＴＩＰ区間のＡＴＩＰアドレスを取得するタイミングで、アドレス更新部１２ｅが、Ｓ６０３又はＳ６０４にて決定したＰＳＮアドレスに対して”２Ｈ（『第１の加算値』）”を加算し（Ｓ６０６）、Ｓ６０５のステップから再び実行していく。
【００８７】
なお、Ｓ６０４及びＳ６０７において、”２Ｈ（『第１の加算値』、『第２の加算値』）”を加算する理由としては、レーザー光の照射位置の移動量単位が、１ＡＴＩＰ区間単位、すなわち２セクタ単位であることを想定しているためである。そこで、シーク動作時に複数ＡＴＩＰ区間単位でレーザー光の照射位置が移動する場合には、Ｓ６０４及びＳ６０７において、”複数ＡＴＩＰ区間単位×２Ｈ（『第１の加算値』、『第２の加算値』）”を加算することになる。また、複数ＥＣＣブロック単位でシーケンシャルアクセスが行われる場合には、Ｓ６０４及びＳ６０７において、”１６Ｈ（『第１の加算値』、『第２の加算値』）”を加算することになる。
【００８８】
また、前述したＳ６０４において、ＡＴＩＰ−ＰＳＮ変換部１２ａは、Ｓ６００にて取得したＣＲＣチェック結果情報が正常でない旨を示す場合に（Ｓ６０１：ＮＯ）、ＡＴＩＰ補正部１２ｂによって、レジスタ１２ｃから読み出された最後に記憶した前回の（１ＡＴＩＰ区間前の）ＡＴＩＰアドレスに対して”１フレーム（『第３の加算値』）を加算する。そして、ＡＴＩＰ−ＰＳＮ変換部１２ａが、この加算後のＡＴＩＰアドレスからＰＳＮアドレスに変換するようにしてもよい。
【００８９】
このようにして、光ディスク装置１００は、レーザー光の移動開始位置とする当該１ＡＴＩＰ区間についてのＡＴＩＰアドレスに基づいて、移動開始位置から移動終了位置までの間でアクセスされる記録領域に付与されたＰＳＮアドレスを順次生成していくことになる。
【００９０】
ここで、光ディスク装置１００は、従来の光ディスク装置（図７参照）と比較すると、光ディスク１００が有しているＩＤ情報の光学的な読み出しや、その読み出したＩＤ情報からＰＳＮアドレスへのデコード処理を行う必要がなくなる。また、図６のフローチャートの例を用いて従来の光ディスク装置と比較すると、Ｓ６０３のステップは従来の光ディスク装置におけるＰＳＮアドレスのデコード処理に相当するものであるが、レーザー光の移動開始位置のＰＳＮアドレスを求めるために１回限り実行されるものである。すなわち、従来の光ディスク装置において、レーザー光の照射位置が１ＡＴＩＰ区間や１セクタをまたがるたびに実行されるＰＳＮアドレスのデコード処理と比較すると、光ディスク装置１００の処理負荷が軽減されていることは顕著である。
【００９１】
このように、光ディスク装置１００及びその制御方法は、従来の光ディスク装置と比較して処理負荷が軽減されているとともに、光ディスク２００からＩＤ情報の読み出し処理及びＰＳＮアドレスのデコード処理に伴う時間の分、高速アクセス化を実現することが可能となる。
【００９２】
また、光ディスク装置１００及びその制御方法は、レーザー光が現在照射されている位置を識別するために、ＡＴＩＰデコーダ５にて常時デコードしているＡＴＩＰアドレスを参照するものの、従来の光ディスク装置のＰＳＮアドレスによる光ディスク２００へのアクセス制御の仕組みを有効に利用することができる。このことは、従来の光ディスク装置から小規模な仕様変更によって、当該光ディスク装置１００の実現を可能としている。
【００９３】
また、光ディスク装置１００及びその制御方法は、従来の光ディスク装置が備えていたＰＳＮデコーダ１８を備える必要性がなくなるので、その分、小型化・低消費電力・低コスト化などを実現可能とする。
【００９４】
以上、本発明の実施形態について、その実施形態に基づき具体的に説明したが、これに限定されるものではなく、その要旨を逸脱しない範囲で種々変更可能である。
【００９５】
【発明の効果】
本発明によれば、処理負荷を軽減させ、高速アクセス化を実現する光ディスク装置及びその制御方法を提供することができる。
【図面の簡単な説明】
【図１】本発明の一実施形態に係る光ディスク装置を含めたシステムの概略構成図である。
【図２】標準記録モード時に採用される論理フォーマットを説明する図である。
【図３】高密度記録モード時に採用される論理フォーマットを説明する図である。
【図４】光ディスクの物理フォーマットと、ＡＴＩＰアドレス及びＰＳＮアドレスの関係を説明する図である。
【図５】本発明の一実施形態に係る光ディスク装置が、ＡＴＩＰアドレスからＰＳＮアドレスへ変換する処理フローを説明するためのフローチャートである。
【図６】本発明の一実施形態に係るシステム制御マイコンの動作を説明するフローチャートである。
【図７】従来の光ディスク装置が備えるアドレスデコーダ部の構成を説明するブロック図である。
【符号の説明】
１  光学ヘッド                    １ａ  レーザー素子
２  フロントエンド処理部          ３  光学ヘッドサーボ回路
４  ＷＢＬ検出部                  ５  ＡＴＩＰデコーダ
６  ＣＲＣチェック回路            ７  ＰＬＬ回路
８  高密度記録モード用デコーダ    ９  高密度記録モード用エンコーダ
１０  インタフェース部            １１  ＲＡＭ
１２  システム制御マイコン        １２ａ  ＡＴＩＰ−ＰＳＮ変換部
１２ｂ  ＡＴＩＰ補正部            １２ｃ  レジスタ
１２ｄ  アクセス制御部            １２ｅ  アドレス更新部
１３  レーザー出力制御部          １４  レーザー駆動回路
１５  スピンドルモーター          １６  モーター駆動回路
１７  モーター制御回路            １８  ＰＳＮデコーダ
【図１】
2004310801.tif 000003
【図２】
2004310801.tif 000004
【図３】
2004310801.tif 000005
【図４】
2004310801.tif 000006
【図５】
2004310801.tif 000007
【図６】
2004310801.tif 000008
【図７】
2004310801.tif 000009